(57)【要約】【課題】高さ調整を素早く正確に実施可能な投射型表示装置を実現する。【解決手段】筐体１の筐体底部１ａに設けた孔部１ｂを挿通して、筐体１の内部側と筐体底部１ａの外部側との間を上下方向に移動可能な脚部２をスプリング３により下方向へ押し下げ、ロック部４のツマミ部４ａを操作して脚部２の上下位置を任意の位置で係止させてロックする際に、調整者は、脚部２の側面に表示されて上下位置を特定可能な目盛数値２ａを、筐体１の側面に設けた窓部６を通して視認して高さ位置を正確に把握しながら実施可能とする。複数の脚部２が備えられている場合、全ての脚部２に適用することも、投射レンズが位置する投射方向側又は反対側の後方側に存在する脚部２に対してのみ適用することも可能である。複数の脚部２それぞれの側面に表示される目盛数値２ａは、脚部２それぞれの同一上下位置について同一の数値とする。【選択図】        図１
2004361603.tif 000002
【特許請求の範囲】
【請求項１】
スクリーンに画像を投射する投射型表示装置において、当該投射型表示装置の筐体の筐体底部に設けた孔部を挿通して、筐体の内部側と該筐体底部の外部側との間を上下方向に移動可能な脚部と、該脚部を前記筐体底部の外部側となる下方向へ押し下げる圧下手段と、該圧下手段により押し下げられる前記脚部の位置を任意の高さ位置で係止させてロックするロック手段とを備えた脚部高さ調整機構であって、前記脚部が、当該脚部の上下位置を特定することができる目盛数値が表示されている側面を備え、前記目盛数値を前記筐体の外部より視覚的に認識することができる窓部を前記筐体側面に備えてなることを特徴とする投射型表示装置。
【請求項２】
請求項１に記載の投射型表示装置において、複数の前記脚部を備えてなる投射型表示装置であって、複数の前記脚部それぞれが、前記脚部高さ調整機構を備え、前記目盛数値が、複数の前記脚部それぞれの側面に表示され、かつ、前記窓部として、複数の前記脚部それぞれの側面に表示された前記目盛数値を、それぞれ視覚的に認識することができる複数の前記窓部を前記筐体側面に備えてなることを特徴とする投射型表示装置。
【請求項３】
請求項２に記載の投射型表示装置において、複数の前記脚部それぞれの側面に表示される前記目盛数値それぞれは、複数の前記脚部の同一の上下位置に対して同一の数値が表示されてなることを特徴とする投射型表示装置。
【請求項４】
請求項２又は３に記載の投射型表示装置において、複数の前記脚部全てではなく、複数の前記脚部のうち、投射レンズが位置している投射方向側に存在する前記脚部に、あるいは、該投射方向側と反対側に存在する前記脚部に、前記脚部高さ調整機構を備え、かつ、該脚部の側面に表示された前記目盛数値を視覚的に認識することができる前記窓部を前記筐体側面に備えてなることを特徴とする投射型表示装置。
【請求項５】
請求項１乃至４のいずれかに記載の投射型表示装置において、当該投射型表示装置に、偏光変換素子として液晶素子を用いてなる液晶投射型表示が含まれることを特徴とする投射型表示装置。
【発明の詳細な説明】
【０００１】
【発明の属する技術分野】
本発明は、投射型表示装置に関し、特に、該投射型表示装置の設置高さ位置を調整する高さ調整機構を備えてなる投射型表示装置に関する。本発明は、液晶投射型表示などに好適に適用可能である。
【０００２】
【従来の技術】
従来、投射型表示装置の脚部高さ調整機構の例として、特許文献１に示す特開平１１−２７１８７９号公報「プロジェクタ装置」に記載の技術が知られている。該特許文献１に記載の技術は、図４の脚部高さ機構の要部断面図に示すように、投射型表示装置１０′の筐体底部１ａに設けてなる孔部１ｂの内部側から外部側へ自在に上下方向に移動可能にした複数本の脚部２と、該脚部２それぞれを下方向へ押し下げるスプリング３と、該スプリング３により押し下げられる脚部２を所要の高さ位置にスプリング５の伸長力によりロックするロック部４とからなる脚部調整機構を備え、ツマミ部４ａの操作によりロック部４を移動させることにより、設置床面２０からの脚部２の高さｈを所要の高さに設定することができる。
【０００３】
【特許文献１】
特開平１１−２７１８７９号公報（第３頁、図１）
【０００４】
【発明が解決しようとする課題】
しかしながら、前述した特許文献１に示す技術においては、図５に示すように、投射型表示装置１０′の脚部２の高さｈの調整作業をしている際に、例えば投射レンズが位置する投射方向側にある左右それぞれの脚部２の高さｈ、即ち、各脚部２，２の筐体底部１ａ，１ａからの飛び出し量がどの程度になっているのかを調整者が判別することが難しく、例えば、投射型表示装置１０′を傾斜状態ａ（筐体１の実線表示位置）から水平状態ｂ（筐体１の破線表示位置）に調整するためには、スクリーンの投射位置を確認しながら数回に亘ってカット・アンド・トライを繰返すという調整作業が必要となるという欠点があり、脚部高さ調整機構として不十分であった。
【０００５】
本発明は、かかる問題点に鑑みなされたものであり、例えば液晶投射型表示などの投射型表示装置に関して、前述のような問題点を解決し、投射型表示装置の高さ調整作業を簡易にかつ素早く、更に、正確に実施することができる高さ調整機構を備えてなる投射型表示装置を提供することを目的とする。
【０００６】
【課題を解決するための手段】
第１の技術手段は、スクリーンに画像を投射する投射型表示装置において、当該投射型表示装置の筐体の筐体底部に設けた孔部を挿通して、筐体の内部側と該筐体底部の外部側との間を上下方向に移動可能な脚部と、該脚部を前記筐体底部の外部側となる下方向へ押し下げる圧下手段と、該圧下手段により押し下げられる前記脚部の位置を任意の高さ位置で係止させてロックするロック手段とを備えた脚部高さ調整機構であって、前記脚部が、当該脚部の上下位置を特定することができる目盛数値が表示されている側面を備え、前記目盛数値を前記筐体の外部より視覚的に認識することができる窓部を前記筐体側面に備えてなる投射型表示装置とすることを特徴とするものである。
【０００７】
第２の技術手段は、前記第１の技術手段に記載の投射型表示装置において、複数の前記脚部を備えてなる投射型表示装置であって、複数の前記脚部それぞれが、前記脚部高さ調整機構を備え、前記目盛数値が、複数の前記脚部それぞれの側面に表示され、かつ、前記窓部として、複数の前記脚部それぞれの側面に表示された前記目盛数値を、それぞれ視覚的に認識することができる複数の前記窓部を前記筐体側面に備えてなる投射型表示装置とすることを特徴とするものである。
【０００８】
第３の技術手段は、前記第２の技術手段に記載の投射型表示装置において、複数の前記脚部それぞれの側面に表示される前記目盛数値それぞれは、複数の前記脚部の同一の上下位置に対して同一の数値が表示されてなる投射型表示装置とすることを特徴とするものである。
【０００９】
第４の技術手段は、前記第２又は第３の技術手段に記載の投射型表示装置において、複数の前記脚部全てではなく、複数の前記脚部のうち、投射レンズが位置している投射方向側に存在する前記脚部に、あるいは、該投射方向側と反対側に存在する前記脚部に、前記脚部高さ調整機構を備え、かつ、該脚部の側面に表示された前記目盛数値を視覚的に認識することができる前記窓部を前記筐体側面に備えてなる投射型表示装置とすることを特徴とするものである。
【００１０】
第５の技術手段は、前記第１乃至第４の技術手段のいずれかに記載の投射型表示装置において、当該投射型表示装置に、偏光変換素子として液晶素子を用いてなる液晶投射型表示が含まれる投射型表示装置とすることを特徴とするものである。
【００１１】
【発明の実施の形態】
本発明に係る投射型表示装置の実施例について、以下に図を参照しながら説明する。図１は、本発明に係る投射型表示装置の脚部高さ機構の要部の一例を示す要部断面図である。図２は、本発明に係る投射型表示装置の脚部高さ機構の要部を示す外観図であり、図３は、本発明に係る投射型表示装置の高さ調整後の要部の一例を示す要部断面図である。なお、本発明に係る投射型表示装置は、投射レンズによりスクリーンに画像を投射するプロジェクタであれば、例えば、偏光変換素子として液晶素子を用いる液晶プロジェクタであっても、光学的なフィルム上の画像を投射するプロジェクタであっても良いし、劇場用や家庭用の固定設置型のプロジェクタであっても、携帯型プロジェクタであっても、如何なる形態のものであっても、適用可能である。
【００１２】
まず、図１に示す投射型表示装置１０の要部断面図を用いて、本発明に係る投射型表示装置１０の脚部高さ調整機構について説明する。図１に示すように、投射型表示装置１０は、図４に示す従来技術の場合と同様に、投射型表示装置１０の筐体１の筐体底部１ａには孔部１ｂが設けられ、脚部２の断面直径ｄは、孔部１ｂの直径Ｄよりもやや小さく、孔部１ｂを挿通して脚部２が筐体１内部と筐体底部１ａの外部側の下方向との間で、上下方向に自在に移動可能である。脚部２の上端面２ｂは、一端を筐体１に固定したスプリング３の他端側と接しており、脚部２の圧下手段となるスプリング３の伸長力による圧下作用により、脚部２を筐体底部１ａの外部側の下方向へと押し下げるように作用している。
【００１３】
ここで、脚部２の側面の一部は、鋸歯状の凹凸形状部２ｃを形成しており、ロック部４に備えられている凸形状の先端部４ｃと脚部２の鋸歯状の凹凸形状部２ｃとを嵌合させることにより、脚部２の上下方向の移動を係止させて固定することができる。ロック部４の先端部４ｃとは反対側の側面部４ｂは、一端を筐体１に固定したスプリング５の他端側と接しており、スプリング５の伸長力により、ロック部４の先端部４ｃが脚部２の凹凸形状部２ｃ側へ押し付けられるように作用している。また、ロック部４の側面には、筐体底部１ａから筐体１の外部へ突出したツマミ部４ａが設けられており、設置床面２０からの当該投射型表示装置１０の脚部２の高さｈを調整する調整者が、ツマミ部４ａを図１の紙面左方向にスプリング５の伸長力に抗して操作することにより、ロック部４の先端部４ｃと脚部２の凹凸形状部２ｃとの嵌合状態を解除させて、脚部２を上下方向に移動可能な状態に設定することができる。
【００１４】
即ち、ツマミ部４ａを図１の紙面左方向に操作して、ロック部４の先端部４ｃと脚部２の凹凸形状部２ｃとの嵌合状態が解除された状態にある場合、前述したように、スプリング３の伸長力による圧下作用により、脚部２は筐体底部１ａの外部側の下方向へと押し下げられて、当該投射型表示装置１０が設置されている床面２０から筐体底部１ａまでの高さｈを拡大するように作用することになる。即ち、当該投射型表示装置１０の脚部２の高さｈを高くする方向に移動させることになる。ここで、当該投射型表示装置１０の脚部２の高さｈが高くなりすぎた場合には、ロック部４の先端部４ｃと脚部２の凹凸形状部２ｃとの嵌合状態が解除された状態で、例えば、当該投射型表示装置１０の筐体１の上面部を、スプリング３の伸長力に抗して、床面２０側に軽く押し付けることにより、当該投射型表示装置１０の脚部２の高さｈを低く調整することができる。
【００１５】
また、脚部２の側面の一部には、脚部２の高さｈの調整作業を行なう際に、調整者が脚部２の上下位置を視認可能とする目盛数値２ａが印字表示されている。ここで、目盛数値２ａは、脚部２の筐体底部１ａからの飛び出し量を数値的に特定して規定しているものである。更に、筐体１の側面部にも、脚部２に表示されている目盛数値２ａを筐体１の外部から調整者が視覚的に判別することができるように窓部６が配設されている。
【００１６】
以上のような脚部２の高さｈを調整する脚部高さ調整機構は、投射型表示装置１０の複数の脚部２，２それぞれに設けられている。ここで、脚部２，２それぞれに印字表示する目盛数値２ａ，２ａは、各脚部２，２の同一上下位置に同じ数値が印字表示されているものであり、また、筐体１の側面に配設する各窓部６，６の設置位置は、各脚部２，２の目盛数値２ａを視認可能な位置であれば、筐体１の側面の任意の位置であっても構わないが、複数の各脚部２，２それぞれについて同一の水平位置に設置されて、各脚部２，２の同一上下位置にあるそれぞれの目盛数値２ａ，２ａを視覚的に認識できるようにしている。
【００１７】
次に、調整者が、投射型表示装置１０の脚部２の高さｈを調整する高さ調整方法について図１及び図２を用いて説明する。筐体１の脚部２の高さｈを調整する場合、調整者は、まず、図２に示すように、筐体１の側面に配設されている窓部６から、現在の脚部２の高さ位置を示している目盛数値２ａを読み取る。図２に示す例においては、目盛数値２ａとして“５”が読み取られる。ここで、調整者は、脚部２の高さｈを更に高く調整したいか、低く調整したいかを判断する。脚部２の高さｈを高く調整したい場合には、指でツマミ部４ａを図２の紙面左方向へスプリング５の伸長力に抗した力ｆでスライドさせる操作を行なうと、図１に示すように、ロック部４の先端部４ｃが脚部２の凹凸形状部２ｃより離脱されて、脚部２のロック状態が解除される。
ロックを解除された脚部２は、スプリング３の伸長力により圧下されて、図１又は図２の紙面下方向に、筐体底部１ａから押し出される状態になり、脚部２の高さｈが高くなるように、脚部２が下方向に移動する。
【００１８】
一方、脚部２の高さｈを低く調整したい場合には、同様な操作により、調整者は、指でツマミ部４ａを図２の紙面左方向へスプリング５の伸長力に抗した力ｆでスライドさせて、ロック部４の先端部４ｃを脚部２の凹凸形状部２ｃより離脱させて、脚部２のロック状態が解除された状態にした後、スプリング３の伸長力に抗して、筐体１の上面部を軽く床面２０に押し付ける、あるいは、脚部２の下端部２ｄを上方向に押し上げるように操作することにより、脚部２の高さｈが低くなるように、脚部２を筐体１の内部側へ上方向に移動させることができる。
【００１９】
かくのごとき脚部２の上下の移動操作を、窓部６から表示される脚部２の目盛数値２ａを読み取りながら行ない、所要の高さの上下位置を示す目盛数値２ａが窓部６に表示された位置でツマミ部４ａから指を離して、ロック部４の先端部４ｃと脚部２の凹凸形状部２ｃとを嵌合状態に戻して、脚部２の移動を係止させて脚部２をロック状態にする。
【００２０】
図３は、図１に示す脚部２の高さｈ（窓部６に表示されている目盛数値“５”）よりも脚部２の高さｈ′を高い位置（窓部６に表示されている目盛数値“７”）に調整した高さ調整後の状態を示している。即ち、調整者は、窓部６に表示される目盛数値２ａ（図３の場合は“７”）の数値を読み取ることにより、高さの調整後の筐体底部１ａからの脚部２の飛び出し量即ち高さｈ′を定量的に把握することができ、確実に所望の高さ位置に設定することができる。
【００２１】
従って、調整者は、他の脚部２に対しても、それぞれの脚部２の同一上下位置にある目盛数値２ａを視覚的に把握できるように配設されている窓部６を通して、それぞれの脚部２の目盛数値２ａの数値が、例えば、前述のようにして高さｈ′に調整した先の脚部２の目盛数値２ａと同一の数値“７”になるように、同様の操作を繰返すことにより、投射型表示装置１０の高さｈ′を設置床面２０と平行な状態に、容易にかつ素早く、更には、正確に調整することができる。
【００２２】
即ち、水平な床面２０に設置された投射型表示装置１０において、例えば、投射レンズが存在する投射方向側の左右２箇所に脚部２，２が備えられている場合であれば、投射方向側に位置する左右２箇所の脚部２，２双方の目盛数値２ａ，２ａとして、所望する同一の値例えば“７”が窓部６，６から表示される状態に、ツマミ部４ａ，４ａ及び脚部２，２の下端部２ｄ、２ｄの操作あるいは筐体１の上面部の押下操作をすることにより、左右の脚部２，２双方の高さ調整を数値化した定量的な状態で行なうことができ、投射レンズ面の高さを左右水平な状態に簡単にかつ確実に調整することが可能である。
【００２３】
なお、本発明に係る投射型表示装置１０においては、複数の脚部２，２が、投射レンズが存在する投射方向側のみならず、逆側の後方側にも備えられている場合、全ての脚部２，２に対して、前述したような脚部高さ調整機構（即ち、目盛数値２ａ，２ａを表示させた脚部２，２と該目盛数値２ａ，２ａそれぞれを視認することができる窓部６，６とを合わせて備えた脚部高さ調整機構）を配置することとしても良いし、投射方向側に備えられた脚部２（通常は、左右の脚部２，２）のみに配置することとしても良いし、あるいは、逆に、後方側に備えられた脚部２（通常は、左右の脚部２，２）のみに配置することとしても良い。
いずれの場合であっても、本発明に係る投射型表示装置１０によれば、投射型表示装置１０の脚部２の高さｈを、容易にかつ素早く、更には、正確に調整することができ、所望の投射状態を簡単に実現することができる。
【００２４】
言い換えれば、従来技術のように、各脚部２，２の上下位置を示す目盛数値２ａ，２ａが不明の状態のまま、複数の脚部２，２のそれぞれの高さｈ，ｈを調整する場合にあっては、調整者は調整後の脚部２の高さｈ′即ち脚部２の筐体底部１ａからの飛び出し量を、各脚部２，２のいずれにおいても、直ちには正確に認識することができないため、全ての脚部２，２を同じ高さｈ′，ｈ′に調整する場合、複数回のカット・アンド・トライを繰返すことが必要になってしまい、かつ、調整した結果としても、正確に水平な位置に調整されているという保証を得ることはできない。
【００２５】
【発明の効果】
以上に説明したように、本発明に係る投射型表示装置によれば、各脚部の高さ位置を数値的に把握可能な目盛数値と窓部とを備えることにより、投射型表示装置の各脚部の高さ調整をする際に、容易にかつ素早く、更には正確な高さ位置に調整することが可能になる。例えば、投射型表示装置の投射レンズ面を水平な状態に設置したい場合であっても、目盛数値を参照しながら左右の脚部の高さ位置を調整することにより簡単に調整することができる。
【図面の簡単な説明】
【図１】本発明に係る投射型表示装置の脚部高さ機構の要部の一例を示す要部断面図である。
【図２】本発明に係る投射型表示装置の脚部高さ機構の要部を示す外観図である。
【図３】本発明に係る投射型表示装置の高さ調整後の要部の一例を示す要部断面図である。
【図４】従来技術における投射型表示装置の脚部高さ機構の要部を示す要部断面図である。
【図５】従来技術における投射型表示装置の脚部高さ調整作業の様子を説明するための説明図である。
【符号の説明】
１…筐体、１ａ…筐体底部、１ｂ…孔部、２…脚部、２ａ…目盛数値、２ｂ…上端面、２ｃ…凹凸形状部、２ｄ…下端部、３…スプリング、４…ロック部、４ａ…ツマミ部、４ｂ…側面部、４ｃ…先端部、５…スプリング、６…窓部、１０，１０′…投射型表示装置、２０…床面、ａ…傾斜状態、ｂ…水平状態、Ｄ…直径、ｄ…断面直径、ｆ…力、ｈ，ｈ′…高さ。
【図１】
2004361603.tif 000003
【図２】
2004361603.tif 000004
【図３】
2004361603.tif 000005
【図４】
2004361603.tif 000006
【図５】
2004361603.tif 000007